(57)【特許請求の範囲】
【請求項１】
横置き型として使用される時の吊り上げ機能と、縦置き型として使用される時の設置面への固定機能とが一体的に設けられた脱着自在な二枚一組の取付板を備える電力変換装置であって、
前記二枚一組の取付板は、前記縦置き型としての使用と前記横置き型としての使用とを入れ変えるときに、前記二枚のうちの一方の取付板をそのまま装着したまま、他方の取付板のみを取り外し、該他方の取付板を前記一方の取付板が装着された側とは反対側の面に装着することで、前記二枚の取付板が、前記横置き型として使用される時は当該電力変換装置の側面側にそれぞれ位置するよう装着され、前記縦置き型として使用される時は当該電力変換装置の底面側にそれぞれ位置するよう装着されることを特徴とする電力変換装置。
【請求項２】
前記二枚一組の取付板は、当該電力変換装置がラックに収容されて使用される時に、前記横置き型としての使用における装着姿勢から１８０°だけ回転させて当該電力変換装置の側面にそれぞれを取り付けることで、各取付板が当該電力変換装置から突出しないようになっていることを特徴とする請求項１に記載の電力変換装置。
【請求項３】
前記取付板は、
設置面に固定するためのアンカーボルトを挿入する長穴と、吊り上げ用のロープを通す角穴とを備えることを特徴とする請求項１または２記載の電力変換装置。
【発明の詳細な説明】
【技術分野】
【０００１】
本発明は電力変換装置に関し、特に、縦置き型（自立タイプ）および横置き型（ラック取付タイプ）の双方に対応可能な電力変換装置に適用して好適なものである。
【背景技術】
【０００２】
電力変換装置は、直流電力を交流電力に変換するインバータなどからなり、設置スペースなどに応じて縦置き型および横置き型を選択できるようになっている。
図３（ａ）は、従来の横置き型の電力変換装置の概略構成を示す平面図、図３（ｂ）は、図３（ａ）の電力変換装置の概略構成を示す背面図、図３（ｃ）は、図３（ａ）の電力変換装置の概略構成を示す正面図、図３（ｄ）は、図３（ａ）の電力変換装置の概略構成を示す側面図である。
【０００３】
図３において、電力変換装置２１の正面側には、電力変換装置２１についての操作や表示を行う操作兼表示部２２が設けられている。また、電力変換装置２１の背面側には、外部通信を行うインターフェースカード２３、電力変換装置２１の内部を冷却する冷却ファン２４、出力電圧を調整する切替スイッチ２５、電力変換装置２１の回路部を保護するサーキットプロテクタ２６、主回路用の外線端子台２７が設けられている。
【０００４】
また、電力変換装置２１の側面側には、電力変換装置２１をラック２８に取り付けるためのレール２１１、電力変換装置２１をラック２８から引き出したり、ラック２８に押し込むための把手２１が設けられ、把手２１は把手固定板２９を介して電力変換装置２１に固定されている。
そして、レール２１１を介して電力変換装置２１をラック２８に収納することで、電力変換装置２１を横置き型として設置することができる。
【０００５】
図４（ａ）は、従来の縦置き型の電力変換装置の概略構成を示す左側面図、図４（ｂ）は、図４（ａ）の電力変換装置の概略構成を示す背面図、図４（ｃ）は、図４（ａ）の電力変換装置の概略構成を示す上面図、図４（ｄ）は、図４（ａ）の電力変換装置の概略構成を示す正面図、図４（ｅ）は、図４（ａ）の電力変換装置の概略構成を示す右側面図、図４（ｆ）は、図４（ａ）の電力変換装置の概略構成を示す底面図である。
【０００６】
図４において、図３の電力変換装置２１を縦置き型として使用する場合、電力変換装置２１の底面には取付板２１２が取り付けられる。ここで、取付板２１２には、電力変換装置２１を床に固定するアンカーボルトを挿入する長穴２１３が形成されている。
そして、取付板２１２を下にして電力変換装置２１を立てて配置し、長穴２１３に挿入されたアンカーボルトで取付板２１２を床に固定することで、電力変換装置２１の転倒を防止しつつ、電力変換装置２１を縦置き型として設置することができる。
【０００７】
図５（ａ）は、従来の横置き型の電力変換装置を吊り上げる時の概略構成を示す左側面図、図５（ｂ）は、図５（ａ）の電力変換装置の概略構成を示す背面図、図５（ｃ）は、図５（ａ）の電力変換装置の概略構成を示す上面図、図５（ｄ）は、図５（ａ）の電力変換装置の概略構成を示す正面図、図５（ｅ）は、図５（ａ）の電力変換装置の概略構成を示す右側面図、図５（ｆ）は、図５（ｅ）の電力変換装置の吊り板収納時の概略構成を示す右側面図である。
【０００８】
図５において、図３の電力変換装置２１を横置き型として梱包箱に移動させたり、設置場所に移動させる場合、電力変換装置２１の側面には吊り板２１４が取り付けられる。ここで、吊り板２１４には、電力変換装置２１を吊り上げるロープを通す角穴２１５が形成されている。また、電力変換装置２１の側面に吊り板２１４を取り付ける場合、角穴２１５にロープを通す時に電力変換装置２１が邪魔にならないようにするために、図５（ｅ）に示すように、吊り板２１４を電力変換装置２１の上方に突出させることができる。
【０００９】
また、図３の電力変換装置２１をラック２８に収納する場合、図５（ｆ）に示すように、吊り板２１４を１８０°だけ回転させてから電力変換装置２１の側面に取り付けることで、吊り板２１４が電力変換装置２１から突出しないようにすることができる。
また、例えば、特許文献１には、ＵＰＳ用のバッテリ箱を床面に固定するために、Ｌ字形床面据付金具を用いることが開示されている。
【特許文献１】特開平１０−２１０６８３号公報
【発明の開示】
【発明が解決しようとする課題】
【００１０】
しかしながら、従来の電力変換装置２１では、縦置き型と横置き型との間で変更して使用する場合、図４の取付板２１２と他に図５の吊り板２１４も用意する必要がある。このため、取付板２１２や吊り板２１４を取り付けたり、取り外したりする手間が増えるとともに、保管棚の増加などで管理の手間も増えるという問題があった。また、取付板２１２や吊り板２１４を紛失すると、電力変換装置２１を縦置き型と横置き型との間で変更することができなくなるという問題があった。
そこで、本発明の目的は、取付板と吊り板とを交換することなく、縦置き型と横置き型との間の変更に対応することが可能な電力変換装置を提供することである。
【課題を解決するための手段】
【００１１】
上述した課題を解決するために、請求項１記載の電力変換装置によれば、横置き型として使用される時の吊り上げ機能と、縦置き型として使用される時の設置面への固定機能とが一体的に設けられた脱着自在な二枚一組の取付板を備える電力変換装置であって、前記二枚一組の取付板は、前記縦置き型としての使用と前記横置き型としての使用とを入れ変えるときに、前記二枚のうちの一方の取付板をそのまま装着したまま、他方の取付板のみを取り外し、該他方の取付板を前記一方の取付板が装着された側とは反対側の面に装着することで、前記二枚の取付板が、前記横置き型として使用される時は当該電力変換装置の側面側にそれぞれ位置するよう装着され、前記縦置き型として使用される時は当該電力変換装置の底面側にそれぞれ位置するよう装着されることを特徴とする。
また、請求項２記載の電力変換装置によれば、請求項１において、前記二枚一組の取付板は、当該電力変換装置がラックに収容されて使用される時に、前記横置き型としての使用における装着姿勢から１８０°だけ回転させて当該電力変換装置の側面にそれぞれを取り付けることで、各取付板が当該電力変換装置から突出しないようになっていることを特徴とする。
また、請求項３記載の電力変換装置によれば、請求項１または２において、前記取付板は、設置面に固定するためのアンカーボルトを挿入する長穴と、吊り上げ用のロープを通す角穴とを備えることを特徴とする。
【発明の効果】
【００１２】
以上説明したように、本発明によれば、横置き型として使用される時の吊り上げ機能と、縦置き型として使用される時の設置面への固定機能とを取付板に一体的に設けるようにしたので、取付板と吊り板とを交換することなく、縦置き型と横置き型との間の変更に対応することが可能となる。このため、縦置き型と横置き型との間で電力変換装置を変更して使用する場合においても、取付板を取り付けたり、取り外したりする手間を軽減することが可能となるとともに、取付板を電力変換装置に装着したままにすることができ、取付板の管理を不要とすることが可能となるとともに、取付板の紛失を防止することができる。
【発明を実施するための最良の形態】
【００１３】
以下、本発明の実施形態に係る電力変換装置について図面を参照しながら説明する。
図１（ａ）は、本発明の一実施形態に係る電力変換装置を縦置き型として使用する場合の概略構成を示す左側面図、図１（ｂ）は、図１（ａ）の電力変換装置の概略構成を示す背面図、図１（ｃ）は、図１（ａ）の電力変換装置の概略構成を示す上面図、図１（ｄ）は、図１（ａ）の電力変換装置の概略構成を示す正面図、図１（ｅ）は、図１（ａ）の電力変換装置の概略構成を示す右側面図、図１（ｆ）は、図１（ａ）の電力変換装置の概略構成を示す底面図である。
【００１４】
図１において、電力変換装置２１には取付板１１が設けられている。ここで、取付板１１は、横置き型として使用される時の吊り上げ機能と、縦置き型として使用される時の設置面への固定機能とが一体的に設けられている。この取付板１１には、電力変換装置２１を床に固定するアンカーボルトを挿入する長穴１３および電力変換装置２１を吊り上げるロープを通す角穴１５が形成されている。
【００１５】
そして、電力変換装置２１を縦置き型として使用する場合、電力変換装置２１の底面に取付板１１を取り付けることができる。なお、電力変換装置２１に取付板１１を取り付ける方法としては、取付板１１を電力変換装置２１に脱着自在に取り付けることができるならば任意の方法でよく、例えば、ネジ止めを用いることができる。
そして、取付板１１を下にして電力変換装置２１を立てて配置し、長穴１３に挿入されたアンカーボルトで取付板１１を床に固定することで、電力変換装置２１の転倒を防止しつつ、電力変換装置２１を縦置き型として設置することができる。
【００１６】
図２（ａ）は、図１の電力変換装置を横置き型として使用する場合における吊り上げ時の概略構成を示す左側面図、図２（ｂ）は、図２（ａ）の電力変換装置の概略構成を示す背面図、図２（ｃ）は、図２（ａ）の電力変換装置の概略構成を示す上面図、図２（ｄ）は、図２（ａ）の電力変換装置の概略構成を示す正面図、図２（ｅ）は、図２（ａ）の電力変換装置の概略構成を示す右側面図である。
【００１７】
図２において、図１の状態から、電力変換装置２１を横置き型として梱包箱に移動させたり、設置場所に移動させたりする場合、図１の一方の取付板１１をそのまま装着したまま、図１の他方の取付板１１を取り外し、一方の取付板１１が装着された側とは反対側に他方の取付板１１を装着することができる。ここで、電力変換装置２１の側面に取付板１１を取り付ける場合、角穴１５にロープを通す時に電力変換装置２１が邪魔にならないようにするために、取付板１１を電力変換装置２１の上方に突出させることができる。
【００１８】
また、電力変換装置２１を図３のラック２８に収納する場合、取付板１１を１８０°だけ回転させてから電力変換装置２１の側面に取り付けることで、取付板１１が電力変換装置２１から突出しないようにすることができる。
そして、電力変換装置２１の両側面に取付板１１がそれぞれ装着されると、角穴１５にロープを通し、ロープを介して電力変換装置２１を吊り上げることで、電力変換装置２１が重い場合においても、電力変換装置２１を移動させることができる。
【００１９】
これにより、図１の取付板１１を図５の吊り板２１４に交換することなく、縦置き型を横置き型に変更することが可能となる。このため、縦置き型と横置き型との間で電力変換装置２１を変更して使用する場合においても、取付板１１を取り付けたり、取り外したりする手間を軽減することが可能となるとともに、取付板１１を電力変換装置２１に装着したままにすることができ、取付板１１の管理を不要とすることが可能となるとともに、取付板１１の紛失を防止することができる。
【図面の簡単な説明】
【００２０】
【図１】図１（ａ）は、本発明の一実施形態に係る電力変換装置を縦置き型として使用する場合の概略構成を示す左側面図、図１（ｂ）は、図１（ａ）の電力変換装置の概略構成を示す背面図、図１（ｃ）は、図１（ａ）の電力変換装置の概略構成を示す上面図、図１（ｄ）は、図１（ａ）の電力変換装置の概略構成を示す正面図、図１（ｅ）は、図１（ａ）の電力変換装置の概略構成を示す右側面図、図１（ｆ）は、図１（ａ）の電力変換装置の概略構成を示す底面図である。
【図２】図２（ａ）は、図１の電力変換装置を横置き型として使用する場合における吊り上げ時の概略構成を示す左側面図、図２（ｂ）は、図２（ａ）の電力変換装置の概略構成を示す背面図、図２（ｃ）は、図２（ａ）の電力変換装置の概略構成を示す上面図、図２（ｄ）は、図２（ａ）の電力変換装置の概略構成を示す正面図、図２（ｅ）は、図２（ａ）の電力変換装置の概略構成を示す右側面図である。
【図３】図３（ａ）は、従来の横置き型の電力変換装置の概略構成を示す平面図、図３（ｂ）は、図３（ａ）の電力変換装置の概略構成を示す背面図、図３（ｃ）は、図３（ａ）の電力変換装置の概略構成を示す正面図、図３（ｄ）は、図３（ａ）の電力変換装置の概略構成を示す側面図である。
【図４】図４（ａ）は、従来の縦置き型の電力変換装置の概略構成を示す左側面図、図４（ｂ）は、図４（ａ）の電力変換装置の概略構成を示す背面図、図４（ｃ）は、図４（ａ）の電力変換装置の概略構成を示す上面図、図４（ｄ）は、図４（ａ）の電力変換装置の概略構成を示す正面図、図４（ｅ）は、図４（ａ）の電力変換装置の概略構成を示す右側面図、図４（ｆ）は、図４（ａ）の電力変換装置の概略構成を示す底面図である。
【図５】図５（ａ）は、従来の横置き型の電力変換装置を吊り上げる時の概略構成を示す左側面図、図５（ｂ）は、図５（ａ）の電力変換装置の概略構成を示す背面図、図５（ｃ）は、図５（ａ）の電力変換装置の概略構成を示す上面図、図５（ｄ）は、図５（ａ）の電力変換装置の概略構成を示す正面図、図５（ｅ）は、図５（ａ）の電力変換装置の概略構成を示す右側面図、図５（ｆ）は、図５（ｅ）の電力変換装置の吊り板収納時の概略構成を示す右側面図である。
【符号の説明】
【００２１】
１１  取付板
１３  長穴
１５  角穴
２１  電力変換装置
２２  操作兼表示部
２３  インターフェースカード
２４  冷却ファン
２５  切替スイッチ
２６  サーキットプロテクタ
２７  外線端子台
【図１】
0005119907.tif 000002
【図２】
0005119907.tif 000003
【図３】
0005119907.tif 000004
【図４】
0005119907.tif 000005
【図５】
0005119907.tif 000006